(57)【要約】      （修正有）【課題】食事を行う際に簡易に着脱できるようにした、また、特に高齢者や障害者が食事や洗面・歯磨きなどを行う際に自らの力で簡易に着脱できるようにした、胸元エプロンワンタッチ・ビブを提供する。【解決手段】エプロン首部の固定部が、弾力性芯材を通す通し穴とその通し穴に通した弾力性芯材とにより構成され、その両端において開口していることを特徴とする。【選択図】図１
2011001660.tif 000002
【特許請求の範囲】
【請求項１】
首に対する固定部を有する平面状のエプロンであって、該エプロン首部の固定部が弾力性芯材を通す通し穴と該通し穴に通した弾力性芯材とからなり、該エプロン首部の固定部が該首部固定部の両端で開口している、胸元エプロン  ワンタッチ・ビブ。
【請求項２】
前記首部固定部の弾力性芯材が板バネであることを特徴とする、請求項１記載の胸元エプロン  ワンタッチ・ビブ。
【発明の詳細な説明】
【技術分野】
【０００１】
本発明は、食事を行う際に簡易に着脱できるようにした、また、特に高齢者や障害者が食事や洗面・歯磨きなどを行う際に自らの力で簡易に着脱できるようにした、胸元エプロン  ワンタッチ・ビブに関するものである。
【背景技術】
【０００２】
従来より、焼肉などの食事を行う場合に着用するエプロン、また、施設や在宅における高齢者や障害者の食事や洗面・歯磨きなどの介助を行う場合に着用するエプロンは、着用者の胸部に当て首部や胴部に付いている紐を着用者の背部で結んで固定するか、環状になっている首部に頭を通して被って着用する形態のもので更に胴部の紐を結ぶもの、また紐の替わりに面状ファスナーで固定するものがあった。
また、着脱を容易にするために、エプロン首部の固定部が円みを帯びたＵ字型の弾力性樹脂製芯材により構成されており、その両端がそれぞれ内側に円弧を半円状に描きながら外側に開口しているものがあった。（特願２００１−１３９３４０（Ｐ２００１−１３９３４０）、特開２００２−３０２８１２（Ｐ２００２−３０２８１２Ａ））
【発明の開示】
【発明が解決しようとする課題】
【０００３】
上記（０００２）前段のエプロンにおいては、着用は相当面倒である。また、加齢や障害による可動域に制限のある人や障害による不全麻痺の人が自ら着用するのは不可能であるし、仮に可能であっても相当の困難を伴うものであり、介助者においても食事や洗面の度に行うエプロン着脱の介助は少なからず労を伴うものである。また、エプロン着脱の全介助は高齢者や障害者の自立度を少しでも高めるという介護の本来の目的である自立支援の主旨に逆行するものである。
また、上記（０００２）後段のエプロンにおいては、エプロン首部の固定部の弾力性樹脂製芯材がエプロンから取外しが出来ないため、エプロンを洗濯機で洗濯することができず、そのため、洗濯に多大な時間を要するという問題があった。
本発明は、以上のような問題を解決するためになされたものである。
【課題を解決するための手段】
【０００４】
本発明は、簡易に着脱できるエプロンに関するものであり、特に高齢者や障害者が食事や洗面・歯磨きなどの際に、自力により簡易に着脱できるエプロンに関するものであり、少なくとも首に対する固定部を有する平面状のエプロンであって、該エプロン首部の固定部が弾力性芯材を通す通し穴と該通し穴に通した該弾力性芯材とにより構成され、該首部固定部の開口部の該通し穴の両端が開口しており、該弾力性芯材を挿入取外し可能なようになっている。本発明は、以上の構成よりなる胸元エプロン  ワンタッチ・ビブである。
【発明の効果】
【０００５】
本発明を実施することにより、食事をするときに、容易にエプロンを着脱することができるので、食物による汚れを気にせずに食事を楽しむことができる。また、高齢者や障害者が食事や洗面・歯磨きなどを行う際に、本人自らエプロンを着用することが可能となる。
また、開口部（５、６）の通し穴（３）からの弾力性芯材（４）の挿入取り外しが容易であるので、エプロンが汚れたときは、弾力性芯材（４）を取り外し、エプロン（１）を洗濯機で洗濯し、弾力性芯材を首部固定部の通し穴に挿入し、エプロン（１）を再び使用することが出来る。
【発明を実施するための最良の形態】
【０００６】
以下、本発明の実施の形態を説明する。本発明は、エプロンを着脱する際の被る脱ぐ、結ぶほどく、止める外す、合わせる剥がすなどの動作を省くことにより容易にエプロンを着用し取り外せるようになされたものであり、特に、高齢者や障害者が自力でエプロンを着用し取り外せるようになされたものである。また、本発明には、洗濯機で洗濯することができるよう、弾力性芯材を取り外し出来るよう通し穴が付けられている。
【０００７】
以下、図面に基づきその構成を説明すると、エプロン（１）の首部固定部（２）が、弾力性芯材を挿入取外しする通し穴（３）と該通し穴に挿入した弾力性芯材（４）とにより構成されている。該首部固定部（２）が着用時に着用者（７）の首回りに掛りエプロンを支持する。該通し穴に挿入する弾力性芯材は、弾力性金属製でも弾力性樹脂製でも良い。該弾力性芯材は、着用者の肌ざわりを良くするため、円みを帯びた形状にすることが望ましい。
【０００８】
更に、該首部固定部の開口部（５、６）は、エプロン（１）の着脱を容易に行うことができ、同時にエプロン（１）を着用者（７）の首に支持するものでなければならないので、該首部固定部の開口部（３）と（４）との間隔は、成人の着用者であれば、概ね４ｃｍから５ｃｍ位が妥当である。
【０００９】
具体的な使用例を示すと、エプロン（１）を着用する際、着用者（７）は両手でエプロン（１）の首部固定部（２）を保持し、着用者（７）の首幅に押し広げ、該首部固定部の開口部（５、６）を着用者(７)自身の首部に嵌入させる。
【００１０】
使用後エプロン（１）を外すときは、着用者（７）は、首部固定部（２）を、そのまま、あるいは、両手で着用者（７）の首幅に押し広げ、手前又は下方に移動させることで容易にエプロン（１）を取り外すことができる。
【００１１】
エプロン（１）の前掛部（ビブ部）の布の長さや幅は、その用途により適宜調整するべきものである。また、前掛部（ビブ部）の布の材質は、防水性で軽量のものや、洗濯可能な布製のものが考えられる。
首部固定部（２）の通し穴（３）に通す弾力性芯材（４）は軽量で柔軟な弾力性金属製芯材又は弾力性樹脂製芯材で構成されているので、着用者（７）の首にフィットしても圧迫感を与えることはないが、首部固定部（２）の横幅が１２ｃｍ位、縦寸を１４ｃｍ位、首部固定部の開口部（５、６）の間隔は前記のように約４ｃｍから５ｃｍの寸法で構成すれば、着用者（７）の痩身肥満にかかわらず、着用が可能である。
特に、弾力性芯材（４）として板バネを使用するときは、次のような利点がある。即ち、着用者（７）の首が細いときは、首部固定部（２）が相対的に大きすぎ、着用者に不快感をもたらすし、また、着用者（７）の首が太いときは、首部固定部（２）が相対的に小さすぎ、着用者（７）の首部を圧迫し、着用者（７）に不快感をもたらすが、通し穴（３）に通した板バネに力を加えることにより、着用者（７）の首の太さに合わせ、あるいは首部固定部（２）を狭め、あるいは首部固定部（２）を拡げることができるので、不快感を除去することができる。
【図面の簡単な説明】
【００１２】
【図１】本発明の正面図である
【図２】本発明の実施例を示す斜視図である
【符号の説明】
【００１３】
１．エプロン
２．首部固定部
３．通し穴
４．弾力性芯材
５．首部固定部の開口部
６．首部固定部の開口部
７．着用者
【図１】
2011001660.tif 000003
【図２】
2011001660.tif 000004